(57)【特許請求の範囲】
【請求項１】
樹脂フィルム１１の両側部ａ，ａの内側に、該樹脂フィルム１１の上下端部に達しない長さのバリア性を有する側板１２，１２を縦方向に貼着し、該樹脂フィルム１１の中央部には前記側板に対して直交する方向に蓋板１４を設けてなり、
前記樹脂フィルム１１を側板１２，１２の両側に沿って折り曲げて、中央近傍で両端部のシール部ｔ，ｔを合わせて背シールｈを施し、さらに内容物を充填した後、上下の端部ｐ，ｐを接着又は融着してなる包装袋であって、
前記側板１２の中央部で、かつ樹脂フィルム１１のいずれか一方の側板１２下に、該側板１２に対して直交する方向に半円形状の切り欠きｋによる開封片１５を側板１２の範囲内に設けたことを特徴とする開封容易な包装体。
【請求項２】
少なくとも開封片１５側の前記側板１２シーラントの内面側に、ガスバリア性フィルムが位置することを特徴とする請求項１に記載の開封容易な包装体。
【請求項３】
少なくとも開封片１５側の前記側板１２シーラントにイージーピールフィルムを用いたことを特徴とする請求項１又は請求項２に記載の開封容易な包装体。
【請求項４】
樹脂フィルム１１への側板１２，１２の縦方向への貼着は、側板の周辺を部分貼着してなることを特徴とする請求項１、２又は請求項３に記載の開封容易な包装体。
【発明の詳細な説明】
【０００１】
【発明の属する技術分野】
本発明は、スナック菓子類、チョコレート、ケーキ菓子等の壊れやすく、しかもバラで収納される包装袋に関し、詳しくは開封時に内容物を破損させずに、かつ開口部を大きく開けることが可能で、内容物が取り出し易い開封容易な包装体に関するものである。
【０００２】
【従来の技術】
従来より、スナック菓子類やチョコレート、或いはケーキ状の菓子等の壊れやすい内容物をバラで収納する包装袋や、この包装袋と外箱の組合せによる包装体がよく知られている。
例えば、図４（Ａ）に示すような、ピロー袋が知られており、その開封は天地のシール部ｔ，ｔ又は背シールｈを左右に引っ張るように開封するもの、或いは図４（Ｂ）に示すように、シール部ｔにノッチｎを設けこの部分から切り裂き開封するようにしたものがある。
また、図５に示すように、外箱３０に入ったアルミニウム蒸着フィルム等による内袋３３を背シールのノッチｎから開封するようにしたものがある。
さらには、図示はしないが、ピロー袋の包装材料の表面に全面傷加工を施し、任意の箇所から開封することができるようにした包装体が知られている。
【０００３】
しかしながら、前述したピロー袋等の包装袋の場合には、流通過程、或いは開封時に袋を押さえることになり内容物が壊れやすい。また、外箱入りの場合、外箱の開封とともに内袋の開封が必要となり、内容物の取り出しが複雑となり、しかも製造コストが高くなる。さらに任意の箇所から開封可能とした包装体の場合には、開封口が様々な形状となり、開封口の形状により内容物の取り出しが不便となる場合があり、さらに開封時の押圧により内容物が壊れるといった問題があった。
【０００４】
【発明が解決しようとする課題】
そこで本発明は、上記問題に鑑みなされたもので、その目的とするところは、内容物を保護することができ、しかも弱い力でも容易に開封することができる包装体であって、その際、内容物を壊すことがなく、かつ開封口を大きくし内容物の取り出しが容易となる開封容易な包装体を提供することにある。
【０００５】
【課題を解決するための手段】
本発明に於いて上記目的を達成するために、請求項１の発明では、樹脂フィルム１１の両側部ａ，ａの内側に、該樹脂フィルム１１の上下端部に達しない長さのバリア性を有する側板１２，１２を縦方向に貼着し、該樹脂フィルム１１の中央部には前記側板に対して直交する方向に蓋板１４を設けてなり、前記樹脂フィルム１１を側板１２，１２の両側に沿って折り曲げて、中央近傍で両端部のシール部ｔ，ｔを合わせて背シールｈを施し、さらに内容物を充填した後、上下の端部ｐ，ｐを接着又は融着してなる包装袋であって、前記側板１２の中央部で、かつ樹脂フィルム１１のいずれか一方の側板１２下に、該側板１２に対して直交する方向に半円形状の切り欠きｋによる開封片１５を側板１２の範囲内に設けたことを特徴とする開封容易な包装体である。
【０００６】
請求項２の発明では、請求項１に記載の開封容易な包装体において、
少なくとも開封片１５側の前記側板１２シーラントの内面側に、ガスバリア性フィルムが位置することを特徴とする。
【０００７】
請求項３の発明では、請求項１又は請求項２に記載の開封容器な包装体において、少なくと開封片１５側の前記側板１２シーラントにイージーピールフィルムを用いたことを特徴とする。
請求項４の発明では、請求項１、２又は請求項３に記載の開封容器な包装体において、樹脂フィルム１１への側板１２，１２の縦方向への貼着は、側板の周辺を部分貼着してなることを特徴とする。
【０００８】
【発明の実施の形態】
本発明の開封容易な包装体は、アルミニウム、アルミナ、酸化ケイ素等の金属蒸着を施した樹脂フィルム１１の両側部ａ，ａの内側に、樹脂フィルムの上下端部に達しない長さの側板１２，１２を縦方向に部分貼着すると共に、この樹脂フィルム１１の中央部には、側板１２，１２に対して直交する方向（横方向）に前記側板と同構成の蓋板１４を設けたもので、この組立ては、樹脂フィルム１１を側板１２，１２の両側に沿って内側に折り曲げ、中央近傍でフィルム両端のシール部ｔ，ｔを合わせて背シールを施し、さらに内容物を充填した後、フィルムの上下端部ｐ，ｐを接着又は融着した包装袋である。この際、包装袋には予めいずれか一方の側板１２中央部で、かつ樹脂フィルム１１の一方の側板１２下に、この側板１２に対して直交する方向に半円形の切り欠きｋによる開封片１５を設けたもので、この開封片を摘み包装袋の上面部分を横方向に引き裂き、開封するものである。
【０００９】
図に基づきさらに本発明の実施例を説明する。
図１は、本発明の開封容易な包装体の展開図であり、図２（Ａ）は、組み立てた包装体の一例を示す斜視図であり、（Ｂ）は、開封片から引き裂き開封した状態を示す斜視図である。
図中１１はアルミニウム等の金属蒸着が施された樹脂フィルム、１２は台紙である側板を示し、１４は同様に蓋板、１５は開封片、ｔは樹脂フィルムの両側部のシール部、ｐは同じく上下端部の接着又は融着部分を示す。
【００１０】
本発明で用いる樹脂フィルム１１の積層構成例を示すと、例えば、
・二軸延伸ポリプロピレン２０μｍ（ＨＳＯＰＰ）／アルミ蒸着未延伸ポリプロピレン２５μｍ（ＶＭＣＰＰ）であり、
・ＨＳＯＰＰ２０μｍ／横一軸高密度ポリエチレン（ＨＤＰＥ）１８μｍ（例えば、カラリヤンＹ、東洋化学株式会社製）／ＶＭＣＰＰ２５μｍであり、
・ポリエチレンテレフタレート１２μｍ（ＰＥＴ）／アルミニウム箔７μｍ／ＣＰＰ２５μｍであり、
・酸化ケイ素蒸着ポリエステル１２μｍ（ＧＬＰＥＴ）／ＣＰＰ２５μｍである。
以上に示すように、いずれもドライラミネーションにより積層し包装材料としたもので、表面の印刷適性、横裂き性、バリヤ性等の目的に応じて適宜な積層構成のフィルムを用いることができる。
【００１１】
また、台紙である側板１２及び蓋板１４の構成例として、バリヤ性を必要とする場合には、
・ＰＥＴ１２μｍ／ポリエチレン１５μｍ（ＳＰＥ）／紙１９０ｇ/ ｍ2 ／ＳＰＥ１５μｍ／酸化ケイ素蒸着ポリエステル１２μｍ（ＧＬＰＥＴ）／イージーピールポリプロピレン２５μｍ（ＰＰ）である。
これに対し防湿性のみの場合には、
・ポリプロピレンシート３００μｍ／イージーピールポリプロピレン２５μｍ（ＰＰ）構成の台紙が使用できる。
【００１２】
上記構成のフィルム及び台紙を適宜選択し本発明の包装体を作製するもので、図１に示すように、樹脂フィルム１１の一方の側部ａの内側中央部に、半円形状の切り欠きｋによる開封片１５を形成し、このフィルム１１の両側部ａ，ａ内側に折り部ｅ，ｅ，ｅ，ｅを介して側板１２，１２を部分貼着したものである。この部分貼着は、側板１２，１２の周囲を接着又は融着により貼着し、側板の中央部は貼着しない。この際、側板１２，１２はフィルム１１の上下端部ｐ，ｐに達しない長さとする。また、一方の側板１２の下側中央部分に切り欠きｋによる開封片１５が位置するように側板１２を部分的に貼り付ける。
さらに側板１２，１２に挟まれた樹脂フィルム１１の中央部には、側板に対して直交する方向（横方向）に蓋板１４を貼り付ける。この蓋板１４は、図１に示すように、開封片１５の幅より僅かに内側に位置するように短い寸法としたものである。
なお、開封片１５を形成する切り欠きｋは、側板１２の範囲内とする。この範囲を越えて設けると、内容物が直接外部と接触し問題となる。また包装体をガスバリア性を有するフィルムで構成しても、この部分から外気と通じてしまい、包装体にガスバリア性がなくなる。
【００１３】
この包装材料の組立ては、シートを流れ方向に進めて側板１２，１２の両側に沿って折り部ｅ，ｅ，ｅ，ｅから内側に折り曲げ、フィルム１１両側端のシール部ｔ，ｔを中央部近傍で合わせて融着による背シールｈを施す。さらに上方又は下方よりスナック菓子類、クッキー等の内容物を充填した後、フィルム上下の端部ｐ，ｐを接着又は融着することにより内容物が密封された包装体が得られる（図２（Ａ）を参照）。
【００１４】
なお、本発明の包装体の作製をシート状の樹脂フィルム１１により説明したが、実作業工程においては、図示はしないが、ロール状のフィルムを送り出し、切り欠きｋの形成、側板１２，１２、蓋板１４の台紙の貼着、背シールｈ、内容物の充填、天地のシールと切断工程を連続して行い製造することができる。
【００１５】
この包装体の開封は、図２（Ｂ）に示すように、貼着されていない開封片１５を摘み上方に引き上げ包装体の上面を反対側に引っ張ると、包装材が引き裂かれ開封することができる。
【００１６】
本発明の包装体における開封片１５は適宜な形状とすることができるが、図３に示すように、好ましくは切り欠きｋによる半円形状の開封片とすることにより、摘み易く、しかも開封し易くなる。またこの開封片の幅を広くすることにより開口部を大きくすることができる。
【００１７】
また、本発明の包装体における特徴は、図４の概略図に示すように、側板１２，１２を樹脂フィルム１１に全面貼着するものではなく、側板の周辺１２ａを部分貼着し、その中央部分１２ｂは貼着しないほうが良い。
これにより開封片１５の先端部分は貼着されずに、基部が貼着された状態となる。従って、開封する際は開封片を摘み易く、基部が貼着されていても側板１２のシーラントとしてのイージーピールフィルムにより剥離することが容易で、開封片１５を引き上げるだけで剥離し、さらに反対側に引っ張ることにより、開封片１５の幅寸法で包装体の上面を蓋板１４に沿って引き裂くことができる。
【００１８】
【発明の効果】
本発明は以上の構成であるから、下記に示す如き効果がある。
すなわち、本発明の包装体は開封片の大きさを変えることで、開封口の大きさを広くすることも、又狭くすることも可能で、さらには形状も変化させることができる。
また開封性は、台紙のシーラントにイージーピールフィルムを使用しているので容易に開封することができ、また横一軸高密度ポリエチレンフィルムが積層されているので、包装材の引き裂きも子供の弱い力で簡単に行える。
さらにガラス蒸着フィルムを使用した包装材料によりバリヤ性を保持することが容易となる。
【００１９】
さらに加えて、従来の包装体の製造と同様の製造工程により作製することができるので、内容物の自動充填、連続製造が可能となるので、包装材料、製造コストを低く抑えることができる。
【図面の簡単な説明】
【図１】本発明の実施例における開封容易な包装体の展開図である。
【図２】組み立てられた開封容易な包装体の一例を示す斜視図（Ａ）であり、開封片から引き裂き開封した状態を示す斜視図（Ｂ）である。
【図３】本発明の開封容易な包装体における開封片の形状を示す説明図である。
【図４】本発明における側板の部分貼着を示す側面から見た概略図である。
【図５】従来の包装体における開封方法を示す説明図で、（Ａ）は、上部を剥がすように開封するもので、（Ｂ）は、シール部にノッチを設け引き裂くようにして開封する。
【図６】従来の二重包装体の一例を示す説明図である。
【符号の説明】
１１  …樹脂フィルム
１２  …側板（台紙）
１４  …蓋板（台紙）
１５  …開封片
ａ  …フィルムの側部
ｋ  …切り欠き
ｔ  …シール部
ｐ  …上下の端部
ｈ  …背シール
【図１】
0003951330.tif 000002
【図２】
0003951330.tif 000003
【図３】
0003951330.tif 000004
【図４】
0003951330.tif 000005
【図５】
0003951330.tif 000006
【図６】
0003951330.tif 000007